(57)【要約】【課題】自動販売機周囲のガラス面などの破損しやすい建物部材を、自動販売機の接触による破損から保護する器具を提供する。【解決手段】自動販売機に取付けられた器具であり、該器具のバンパー部が建物の壁または梁に接触または近接する形で設置され、自動販売機が傾斜または移動した場合に、壁または梁にバンパー部が接触していることにより、自動販売機周囲の建物部材を、自動販売機の接触による破損から保護する器具。【選択図】図３
0003167067.tif 000002
【実用新案登録請求の範囲】
【請求項１】
自動販売機に取付けられた器具であり、該器具のバンパー部が建物の壁または梁に接触または近接する形で設置され、自動販売機が傾斜または移動した場合に、壁または梁にバンパー部が接触していることにより、自動販売機周囲の他の建物部材を、自動販売機の接触による破損から保護する器具。
【請求項２】
自動販売機に固定される取付け部と、自動販売機の全高を上回る位置で建物の壁または梁に接触または近接する形で設けられたバンパー部と、取付け部とバンパー部とを結合する支持部とからなり、請求項１記載の、自動販売機周囲の他の建物部材を、自動販売機の接触による破損から保護する器具。
【請求項３】
自動販売機に固定される取付け部と、自動販売機の全高を上回る位置で建物の壁または梁に接触または近接する形で設けられたバンパー部と、取付け部とバンパー部とを結合する支持部とからなり、取付け部に連結した支持部が、さらに補強部により補強したものである請求項１または２記載の、自動販売機周囲の他の建物部材を、自動販売機の接触による破損から保護する器具。
【考案の詳細な説明】
【技術分野】
【０００１】  本考案は、自動販売機周囲の建物部材を、自動販売機の接触による破損から保護する器具に関する。
【背景技術】
【０００２】  近年、ショッピングセンターなどの商業施設やスーパーマーケットなどの店舗、オフィスビルなどにおいて、ガラス扉やガラス壁などの周囲に自動販売機を設置する需要が増えている。自動販売機をガラス面などの破損しやすい建物部材の周囲に設置する場合、地震などにより自動販売機が転倒し、周囲の建物部材を破損させる危険性がある。このため、自動販売機の転倒防止対策が一般に行われているが、建物内では床面の保護の観点からアンカーボルトなどによる設置面の固定を行う代わりに、脚部に転倒防止用の板材を取付けて対応している場合もあり、周囲の建物部材の保護対策が十分とは言えなかった。また、防災上の観点から、ガラス面などの破損しやすい建物部材の周囲に自動販売機を設置することが困難となる場合も多かった。
【考案の概要】
【考案が解決しようとする課題】
【０００３】  本考案は上記従来の問題点に着目してなされたものであり、自動販売機周囲のガラス面などの破損しやすい建物部材を、自動販売機の接触による破損から保護する器具に関する。
【課題を解決するための手段】
【０００４】  上記の課題を解決すべく、本考案は以下の構成を提供する。請求項１の考案は、自動販売機に取付けられた器具であり、該器具のバンパー部が建物の壁または梁に接触または近接する形で設置され、自動販売機が傾斜または移動した場合に、壁または梁にバンパー部が接触していることにより、自動販売機周囲の他の建物部材を、自動販売機の接触による破損から保護する器具である。【０００５】  請求項２の考案は、自動販売機に固定される取付け部と、自動販売機の全高を上回る位置で建物の壁または梁に接触または近接する形で設けられたバンパー部と、取付け部とバンパー部とを結合する支持部とからなる、請求項１記載の、自動販売機周囲の他の建物部材を、自動販売機の接触による破損から保護する器具である。【０００６】  請求項３の考案は、自動販売機に固定される取付け部と、自動販売機の全高を上回る位置で建物の壁または梁に接触または近接する形で設けられたバンパー部と、取付け部とバンパー部とを結合する支持部とからなり、取付け部に連結した支持部が、さらに補強部により補強したものである請求項１または２記載の、自動販売機周囲の他の建物部材を、自動販売機の接触による破損から保護する器具である。
【考案の効果】
【０００７】  以上のように、ガラス扉やガラス壁の周囲などの破損しやすい建物部材の周囲に自動販売機を設置する場合に、本考案の器具を用いることで、自動販売機の接触による建物部材の破損を防止することができ、地震対策などに使用することができる。
【図面の簡単な説明】
【０００８】
【図１】本考案の第１から第３の実施の形態にかかる保護器具の斜視図である。
【図２】本考案の第１から第３の実施の形態にかかる保護器具の斜視図である。
【図３】本考案の第１から第３の実施の形態にかかる保護器具の斜視図である。
【図４】本考案の第１から第３の実施の形態にかかる保護器具の背面図である。
【図５】本考案の第１から第３の実施の形態にかかる保護器具の斜視図である。
【図６】本考案の第１から第３の実施の形態にかかる保護器具の斜視図である。
【図７】本考案の第１から第３の実施の形態にかかる保護器具の斜視図である。
【考案を実施するための形態】
【０００９】  以下、本考案の第１から第３の実施の形態にかかる保護器具を図１から図７の図面に従って説明する。本考案は、自動販売機に取付けられた器具であり、該器具のバンパー部が建物の壁または梁に接触または近接する形で設置され、自動販売機が傾斜または移動した場合に、壁または梁にバンパー部が接触していることにより、自動販売機周囲の他の建物部材を、自動販売機の接触による破損から保護する器具に関する。図１において、符号１は保護器具の板状の取付け部、符号２は取付け部に連結したパイプ状の支持部、符号５は板状のバンパー部、符号６はバンパー部に連結したパイプ状の支持部を表しており、本考案の保護器具の基本構成は、取付け部、バンパー部、および、取付け部とバンパー部とを結合する支持部とからなっている。保護器具の取付け部は、例えば、保護器具の取付け用のネジ穴（７）を用いて、自動販売機の上部に固定することができる。本考案の保護器具の取付け部（１）の形状、取付け部（１）に付されたネジ穴（７）の数や形状、保護器具のバンパー部（５）の形状、保護器具の支持部の形状、断面などは、本考案の効果が得られる範囲において任意に設定することができる。また、図２に示すように、保護器具の支持部は、位置合わせのために伸縮できる構造を付しても良く、例えば、２つ以上のパイプで形成され、ボルト類（８）で固定する構造などを付しても良い。
【００１０】  本考案の保護器具の取付け部に連結した支持部は、さらに補強部により補強することができる。例えば、支持部に結合した補強板（３）および補強板を自動販売機の天板上で支持する板状の支持部材（４）により補強することができる。補強板（３）は図１および図２に示したように、折り返しの付いたＬ字断面の板材を用いても良い。補強板（３）および支持部材（４）の形状、断面などは、本考案の効果が得られる範囲において任意に設定することができる。
【００１１】  本考案の保護器具の材質としては、ステンレス、鉄、銅、アルミ、真鍮、などの金属など、従来公知の素材から選ぶことができる。また、各部材は溶接などにより連結することができ、表面は塗装処理などを行うことができる。
【００１２】  本考案の保護器具は、ガラス面、化粧合板、パネルなどの破損しやすい建物部材が自動販売機の背面および／または側面の位置にある状態において一般に使用する。図３は、本考案の保護器具を自動販売機の背面に設置した状態を示している。ここでは、建物のガラス面（１１）の前面に自動販売機を設置した例を示しており、自動販売機上部の背面に保護器具の取付け部（１）がボルト類により取付けられ、保護器具のバンパー部（５）を建物のガラス面上部の壁（１２）に接触または近接する形で設置している。また、支持部（２）に付された補強板（３）は自動販売機の天板上（１０）で支持部材（４）により支持されている。ここで、図３では、２基の保護器具を使用した例を示しているが、使用する基数は、本考案の効果が得られる範囲において１基以上で任意に設定することができる。
【００１３】  図３に示すように、本考案の保護器具のバンパー部（５）は、自動販売機の全高を上回る位置で、建物部材上部の壁または梁に接触または近接する形で設置することができる。バンパー部（５）と壁または梁とが接触する場合には、粘着テープ、接着テープ、粘着剤、接着剤などの接着方法やボルト類を用いた固定などによる固定方法を用いることもでき、また、建物に汚れや傷を付けないという点では、滑り止めマット等を敷いて用いることも可能であり、単純に直接接触した状態として用いることもできる。また、バンパー部（５）と壁または梁とが近接する場合には、バンパー部（５）と壁または梁との距離は、自動販売機が傾斜または移動した場合に、壁または梁にバンパー部（５）が接触している状態となるように設定することができ、本考案の効果が得られる範囲において任意に設定することができる。この場合も、建物に汚れや傷を付けることがない。また、バンパー部（５）にはクッション材などを付しても良い。
【００１４】  また、支持部材（４）と自動販売機の天板（１０）とは、粘着テープ、接着テープ、粘着剤、接着剤などの接着方法やボルト類を用いた固定などによる固定方法を用いることもでき、また、自動販売機に汚れや傷を付けないという点では、これらの方法を用いずに単純に接触した状態として使用しても良い。
【００１５】  本考案の保護器具を自動販売機の背面に設置する場合には、図４に示すように、自動販売機上部の背面に保護器具の取付け部（１）をボルト類（９）により固定する。この場合、自動販売機に新たにネジ穴をあけてボルト類により固定をしても良いが、自動販売機上部の背面にある既存のボルト類を使用することもでき、この場合は、自動販売機側に新たに穴あけをする必要がないため、自動販売機に傷を付けることがない。
【００１６】  また、本考案の保護器具を自動販売機の側面に設置する場合には、一般に既存のボルト類が自動販売機の側面には無いため、自動販売機に新たにネジ穴をあけてボルトにより固定をしても良いが、自動販売機に傷を付けないという観点で、例えば図５に示すように、一旦、別の取付け部を設置することにより、取付けすることもできる。ここでは、まず、Ｌ字形状の別の取付け部（２０）を、これに付された固定具上部（２２）、および、自動販売機の底面に対しＬ字型の引掛け形状を有する固定具下部（２３）とともに、固定具上部（２２）と固定具下部（２３）の各折り返し部を連結するボルト類（２４）を用いて自動販売機の側面（１７）に固定し、続いて、別の取付け部（２０）に付された保護器具の取付け用のネジ類（２１）を用いることで、取付け用のナット類（２５）により保護器具を固定することができる。
【００１７】  別の取付け部（２０）は粘着テープ、接着テープ、粘着剤、接着剤などの接着方法を用いて設置しても良いが、自動販売機に汚れや傷を付けないという点で、滑り止めマット等を敷いて設置しても良い。また、図７に示すように、取付け部（１）と別の取付け部（２０）が一体化した形状の取付け部（２６）としても良い。
【００１８】  上記のように設置することにより、本考案の保護器具は、自動販売機周囲のガラス面などの破損しやすい建物部材を、自動販売機の接触による破損から保護することができる。本考案の保護器具は、ショッピングセンターなどの商業施設やスーパーマーケットなどの店舗、オフィスビルなどにおいて、ガラス扉やガラス壁などの周囲に自動販売機を設置する場合などに有効に使用できる。
【００１９】  以上、本考案の実施の形態について詳述してきたが、具体的な構成はこの実施の形態に限られたものではなく、使用する自動販売機の形状、大きさに応じて調整することができ、本考案の要旨を逸脱しない範囲における設計の変更などがあっても本考案に含まれる。
【符号の説明】
【００２０】１    保護器具の取付け部
２    保護器具の取付け部に連結した支持部
３    保護器具の支持部の補強板
４    保護器具の補強板の支持部材
５    保護器具のバンパー部
６    保護器具のバンパー部に連結した支持部
７    保護器具の取付け用のネジ穴
８    保護器具の支持部固定用のボルト類
９    保護器具の取付け用のボルト類
１０  自動販売機の天板
１１  建物のガラス面
１２  建物のガラス面上部の壁
１３  建物のガラス面の縦枠
１４  建物の天井
１５  自動販売機の外枠
１６  自動販売機の背面パネル
１７  自動販売機の側面
１８  自動販売機の前面
２０  保護器具の別の取付け部
２１  保護器具の取付け用のネジ類
２２  保護器具の固定具上部
２３  保護器具の固定具下部
２４  保護器具の固定具を連結するボルト類
２５  保護器具の取付け用のナット類
２６  保護器具の一体化した形状の取付け部
【図１】
0003167067.tif 000003
【図２】
0003167067.tif 000004
【図３】
0003167067.tif 000005
【図４】
0003167067.tif 000006
【図５】
0003167067.tif 000007
【図６】
0003167067.tif 000008
【図７】
0003167067.tif 000009
【手続補正書】
【提出日】平成23年1月12日(2011.1.12)
【手続補正１】
【補正対象書類名】実用新案登録請求の範囲
【補正対象項目名】請求項１
【補正方法】変更
【補正の内容】
【請求項１】
自動販売機に取付けられた器具であり、該器具は、自動販売機に固定される取付け部と、建物の壁または梁に接触または近接する形で設けられたバンパー部と、取付け部とバンパー部とを結合する支持部とからなり、自動販売機が傾斜または移動した場合に、壁または梁にバンパー部が接触していることにより、自動販売機周囲の他の建物部材を、自動販売機の接触による破損から保護する器具。
【手続補正２】
【補正対象書類名】明細書
【補正対象項目名】０００４
【補正方法】変更
【補正の内容】
【０００４】  上記の課題を解決すべく、本考案は以下の構成を提供する。請求項１の考案は、自動販売機に取付けられた器具であり、該器具は、自動販売機に固定される取付け部と、建物の壁または梁に接触または近接する形で設けられたバンパー部と、取付け部とバンパー部とを結合する支持部とからなり、自動販売機が傾斜または移動した場合に、壁または梁にバンパー部が接触していることにより、自動販売機周囲の他の建物部材を、自動販売機の接触による破損から保護する器具である。
【手続補正３】
【補正対象書類名】明細書
【補正対象項目名】０００９
【補正方法】変更
【補正の内容】
【０００９】  以下、本考案の第１から第３の実施の形態にかかる保護器具を図１から図７の図面に従って説明する。本考案は、自動販売機に取付けられた器具であり、該器具は、自動販売機に固定される取付け部と、建物の壁または梁に接触または近接する形で設けられたバンパー部と、取付け部とバンパー部とを結合する支持部とからなり、自動販売機が傾斜または移動した場合に、壁または梁にバンパー部が接触していることにより、自動販売機周囲の他の建物部材を、自動販売機の接触による破損から保護する器具に関する。図１において、符号１は保護器具の板状の取付け部、符号２は取付け部に連結したパイプ状の支持部、符号５は板状のバンパー部、符号６はバンパー部に連結したパイプ状の支持部を表しており、本考案の保護器具の基本構成は、取付け部、バンパー部、および、取付け部とバンパー部とを結合する支持部とからなっている。保護器具の取付け部は、例えば、保護器具の取付け用のネジ穴（７）を用いて、自動販売機の上部に固定することができる。本考案の保護器具の取付け部（１）の形状、取付け部（１）に付されたネジ穴（７）の数や形状、保護器具のバンパー部（５）の形状、保護器具の支持部の形状、断面などは、本考案の効果が得られる範囲において任意に設定することができる。また、図２に示すように、保護器具の支持部は、位置合わせのために伸縮できる構造を付しても良く、例えば、２つ以上のパイプで形成され、ボルト類（８）で固定する構造などを付しても良い。